(57)【要約】【課題】視聴中の放送番組の内容が、放送番組の視聴と同時に番組配信サービスにおけるお薦め番組選択画面（番組情報）を多重化表示することがより適切と思われるニュース番組などの番組である場合に、事前の学習を必要とせず、また専用ボタンを押す必要もなく、自動的に多重化表示に切り替えることが可能な放送波受信装置を提供する。【解決手段】放送波受信装置は、視聴者によって予め番組のジャンル毎に多重化表示自動切換対象ジャンルであるか否かが登録されたジャンル判定表を保持すると共に、視聴中の放送番組の番組関連情報に含まれるジャンル情報や放送時間を活用し、ジャンル判定表と当該ジャンル情報から視聴中の番組が多重化表示対象ジャンルでないと判断した場合は多重化表示を解除させ、多重化表示対象ジャンルであると判断した場合には、当該放送時間が所定時間より短いと判断した場合にのみ多重化表示を行うように制御する。【選択図】図１
2011146766.tif 000002
【特許請求の範囲】
【請求項１】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、
現在視聴中の前記番組に関する番組関連情報を取得する番組関連情報取得手段と、
前記番組情報を取得する番組情報取得手段と、
現在視聴中の前記番組と前記番組情報の表示を行う表示手段と、
前記番組関連情報に含まれる放送時間が所定時間よりも短い場合には、現在視聴中の前記番組と前記番組情報とを、前記表示手段に表示するように制御する制御手段と、
を備えることを特徴とする放送波受信装置。
【請求項２】
前記制御手段は、前記放送時間が前記所定時間よりも短くない場合には、現在視聴中の前記番組のみを、前記表示手段に表示するように制御することを特徴とする請求項１記載の放送波受信装置。
【請求項３】
視聴者が、前記所定時間を、曜日、および／またはチャンネル、および／または放送時間帯に対応して、設定あるいは変更することが可能な機能を備えたことを特徴とする請求項１または２記載の放送波受信装置。
【請求項４】
前記制御部は、視聴者によって前記番組のうち予め特定番組として特定番組Ａのグループと特定番組Ｂのグループが登録された特定番組管理表を保持し、前記特定番組管理表を参照して、前記番組関連情報に含まれる番組を特定する情報を基に、現在視聴中の前記番組が前記特定番組Ａのグループに属すると判断した場合には現在視聴中の前記番組のみを、前記特定番組Ｂのグループに属すると判断した場合には現在視聴中の前記番組と前記番組情報を、前記番組関連情報に含まれる前記放送時間が前記所定時間よりも短いか否かに関係なく、前記表示手段に表示するように制御することを特徴とする請求項１記載の放送波受信装置。
【請求項５】
前記制御部は、視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が前記多重化表示自動切換対象ジャンルでないと判断した場合には、現在視聴中の前記番組のみを、前記番組関連情報に含まれる前記放送時間が前記所定時間よりも短いか否かに関係なく、前記表示手段に表示するように制御することを特徴とする請求項１記載の放送波受信装置。
【請求項６】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、
現在視聴中の前記番組に関する番組関連情報を取得する番組関連情報取得手段と、
前記番組情報を取得する番組情報取得手段と、
現在視聴中の前記番組と前記番組情報の表示を行う表示手段と、
視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が多重化表示自動切換対象ジャンルであると判断し、かつ、前記番組関連情報に含まれる字幕付きであるか否かの情報を基に、現在視聴中の前記番組が字幕付きであると判断した場合には、現在視聴中の前記番組と前記番組情報とを、前記表示手段に表示するように制御する制御手段と、
を備えることを特徴とする放送波受信装置。
【請求項７】
前記制御手段は、現在視聴中の前記番組が、多重化表示自動切換対象ジャンルであり、かつ、字幕付きであると判断した場合以外は、現在視聴中の前記番組のみを、前記表示手段に表示するように制御することを特徴とする請求項６記載の放送波受信装置。
【請求項８】
前記制御部は、視聴者によって前記番組のうち予め特定番組として特定番組Ａのグループと特定番組Ｂのグループが登録された特定番組管理表を保持し、前記特定番組管理表を参照して、前記番組関連情報に含まれる番組を特定する情報を基に、現在視聴中の前記番組が前記特定番組Ａのグループに属すると判断した場合には現在視聴中の前記番組のみを、前記特定番組Ｂのグループに属すると判断した場合には現在視聴中の前記番組と前記番組情報を、現在視聴中の前記番組が多重化表示自動切換対象ジャンルであるか否か、あるいは字幕付きであるか否かに関係なく、前記表示手段に表示するように制御することを特徴とする請求項６記載の放送波受信装置。
【請求項９】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、
現在視聴中の前記番組に関する番組関連情報を取得する番組関連情報取得手段と、
前記番組情報を取得する番組情報取得手段と、
現在視聴中の前記番組と前記番組情報の表示を行う表示手段と、
前記番組が複数の時間的な区間に区切られている場合、所定の方法により取得した前記区間に関する区切り情報を用いて、前記区間毎に放送時間が所定時間より短いか否かを判断し、前記放送時間が前記所定時間よりも短いと判断した場合には現在視聴中の前記番組と前記番組情報を、前記放送時間が前記所定時間よりも短くないと判断した場合には現在視聴中の前記番組のみを、前記表示手段に表示するように制御する制御手段と、
を備えることを特徴とする放送波受信装置。
【請求項１０】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、
現在視聴中の前記番組に関する番組関連情報を取得する番組関連情報取得手段と、
前記番組情報を取得する番組情報取得手段と、
現在視聴中の前記番組と前記番組情報の表示を行う表示手段と、
前記番組関連情報に含まれるジャンル情報、および／または前記番組関連情報に含まれる現在視聴中の前記番組の放送時間の長さ、および／または現在視聴中の前記番組が複数の時間的な区間に区切られている場合の所定の方法により取得した前記区間の長さに応じて、現在視聴中の前記番組と前記番組情報とを多重化表示する場合のそれぞれの表示領域の大きさを決定し、前記表示手段に表示するように制御する制御手段と、
を備えることを特徴とする放送波受信装置。
【請求項１１】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、
現在視聴中の前記番組に関する番組関連情報を取得する番組関連情報取得ステップと、
前記番組情報を取得する番組情報取得ステップと、
現在視聴中の前記番組と前記番組情報取得ステップにおいて取得した前記番組情報の表示を行う表示ステップと、
前記番組関連情報取得ステップにおいて取得した前記番組関連情報に含まれる放送時間が所定時間よりも短い場合には、現在視聴中の前記番組と前記番組情報とを、前記放送時間が前記所定時間よりも短くない場合には、現在視聴中の前記番組のみを、前記表示ステップにおいて表示するように制御する制御ステップと、
を備えることを特徴とする放送波受信装置における画面表示制御方法。
【請求項１２】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、
現在視聴中の前記番組に関する番組関連情報を取得する番組関連情報取得ステップと、
前記番組情報を取得する番組情報取得ステップと、
現在視聴中の前記番組と前記番組情報取得ステップにおいて取得した前記番組情報の表示を行う表示ステップと、
視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が多重化表示自動切換対象ジャンルであると判断され、かつ、前記番組関連情報に含まれる字幕付きであるか否かの情報を基に、現在視聴中の前記番組が字幕付きであると判断された場合には、現在視聴中の前記番組と前記番組情報を、それ以外の場合には現在視聴中の前記番組のみを、前記表示ステップにおいて表示するように制御する制御ステップと、
を備えることを特徴とする放送波受信装置における画面表示制御方法。
【請求項１３】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、
現在視聴中の前記番組に関する番組関連情報を取得する番組関連情報取得ステップと、
前記番組情報を取得する番組情報取得ステップと、
現在視聴中の前記番組と前記番組情報の表示を行う表示ステップと、
前記番組が複数の時間的な区間に区切られている場合、所定の方法により取得した前記区間に関する区切り情報を用いて、前記区間毎に放送時間が所定時間より短いか否かを判断し、前記放送時間が前記所定時間よりも短いと判断された場合には現在視聴中の前記番組と前記番組情報を、前記放送時間が前記所定時間よりも短くないと判断された場合には現在視聴中の前記番組のみを、前記表示ステップにおいて表示するように制御する制御ステップと、
を備えることを特徴とする放送波受信装置における画面表示制御方法。
【請求項１４】
放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、
現在視聴中の前記番組に関する番組関連情報を取得する番組関連情報取得ステップと、
前記番組情報を取得する番組情報取得ステップと、
現在視聴中の前記番組と前記番組情報の表示を行う表示ステップと、
前記番組関連情報取得ステップにおいて取得した前記番組関連情報に含まれるジャンル情報、および／または前記番組関連情報に含まれる現在視聴中の前記番組の放送時間の長さ、および／または現在視聴中の前記番組が複数の時間的な区間に区切られている場合の所定の方法により取得した前記区間の長さに応じて、現在視聴中の前記番組と前記番組情報とを多重化表示する場合のそれぞれの表示領域の大きさを決定し、前記表示ステップにおいて表示するように制御する制御ステップと、
を備えることを特徴とする放送波受信装置における画面表示制御方法。
【発明の詳細な説明】
【技術分野】
【０００１】
本発明は、デジタルテレビ受信装置などの放送波受信装置に関するものであって、特に画面表示を制御するための制御方法に関する。
【背景技術】
【０００２】
デジタルテレビ放送では、主情報である番組データ（視聴者が選局時に通常視聴する映像・音声データ）と、当該番組に付随する字幕情報や当該番組に付随しない緊急放送情報などの非常時情報の文字データ、および、番組の属性や内容を説明する番組説明データ（番組関連情報）などを１つのトランスポートストリーム（ＴＳ：Ｔｒａｎｓｐｏｒｔ  Ｓｔｒｅａｍ）に多重化して伝送することが可能である。このＴＳへの多重化構造は、ＩＳＯ／ＩＥＣ  ＩＳ  １３８１８−１、Ｉｎｔｅｒｎａｔｉｏｎａｌ  Ｓｔａｎｄａｒｄ、ＭＰＥＧ−２  Ｓｙｓｔｅｍｓに規定されている。
【０００３】
多重化されたＴＳを受信して再生するデジタルテレビ受信装置には、視聴者の指示や予め指定された設定に応じて、文字データや、受信した番組説明データをグラフィック処理で映像化し、受信した映像データの映像に多重化して表示することを可能にしたものがある。
【０００４】
以下に、図７を用いて、従来のデジタルテレビ受信装置７００の動作について簡単に説明する。なお、図７は、従来のデジタルテレビ受信装置の構成を示すブロック図である。
【０００５】
図７において、デジタルテレビ受信装置７００は、放送受信部７０１、選局部７０２、信号分離部７０３、音声データ処理部７０４、映像データ処理部７０５、文字データ処理部７０６、音声信号出力部７０７、映像信号出力部７０８、グラフィック処理部７０９、ユーザ操作インタフェース部（ユーザ操作Ｉ／Ｆ部）７１０および番組説明データ処理部７１１で構成されている。
【０００６】
放送受信部７０１は、ＲＦ信号（放送信号）を受信してデジタル信号に復調し、制御信号を選局部７０２に出力すると共に、復調信号を信号分離部７０３に出力する。
【０００７】
ユーザ操作Ｉ／Ｆ部７１０は、リモコンなどによるユーザからの指示を受け付け、そのユーザからの指示情報を、選局部７０２、文字データ処理部７０６および番組説明データ処理部７１１などに出力する。
【０００８】
選局部７０２は、ユーザ操作Ｉ／Ｆ部７１０から入力されたユーザからの指示情報と、放送受信部７０１から入力された制御信号を用いて、処理すべき情報を特定するためにＴＳで定義される識別情報を特定し、特定した識別情報を信号分離部７０３に出力する。
【０００９】
信号分離部７０３は、選局部７０２から出力された識別情報を用いて放送受信部７０１から出力された復調信号に対し、処理すべき音声信号、映像信号、文字データおよび番組説明データなどを分離・抽出し、それぞれ、音声データ処理部７０４、映像データ処理部７０５、文字データ処理部７０６および番組説明データ処理部７１１に出力する。
【００１０】
音声データ処理部７０４は、信号分離部７０３から入力された音声データをアナログ音声信号にデコード処理して音声信号出力部７０７に出力し、音声信号出力部７０７は、音声データ処理部７０４から入力されたアナログ音声信号を音声として出力する。
【００１１】
映像データ処理部７０５は、信号分離部７０３から入力された映像データをアナログ映像信号にデコード処理して映像信号出力部７０８に出力する。
【００１２】
また、文字データ処理部７０６は、ユーザ操作Ｉ／Ｆ部７１０からのユーザ指示情報に従って、信号分離部７０３から入力された文字データをグラフィック描画情報に変換してグラフィック処理部７０９に出力する。番組説明データ処理部７１１は、ユーザ操作Ｉ／Ｆ部７１０からのユーザ操作情報に従って、信号分離部７０３から入力された番組説明データをグラフィック描画情報に変換してグラフィック処理部７０９に出力する。
【００１３】
グラフィック処理部７０９は、文字データ処理部７０６および番組説明データ処理部７１１から入力されたグラフィック描画情報を処理してグラフィック信号とし、映像信号出力部７０８に出力する。
【００１４】
映像信号出力部７０８は、ユーザの指示や予め定められた設定に応じて、映像データ処理部７０５から入力された映像信号、および、グラフィック処理部７０９から入力されたグラフィック信号を、多重化された映像として表示する。
【００１５】
なお、図８は、デジタルテレビ受信装置における映像表示のイメージを示す図であるが、従来のデジタルテレビ受信装置７００では、図８の（イ）に示すように、視聴者が選局時に通常視聴する放送番組映像（ａ）のみを、他の映像を多重化せずに全画面（Ａ）で表示するか、図８の（ロ）に示すように、放送番組映像（ａ）と、データ放送におけるグラフィックや、番組説明データから構成される電子番組表によるグラフィックなどの他の映像（ｂ）を多重化して表示するかは、固定的に設定されるか、あるいは視聴者の明確な指示によって決定される。すなわち、データ放送受信時は常に多重化表示を行うようにするか、あるいは、予め決められたリモコンボタン（通常は「ｄ」ボタン）の操作の有無によって多重化表示を行うか行わないかを切り替える。また、電子番組表の多重化表示についても、予め決められたリモコンボタンの操作の有無によって、多重化表示を行うか行わないかを切り替える。
【００１６】
一方、近年の通信技術の発展により、映像・音声データを通信により取得し、視聴することが可能となってきている。視聴者が番組を視聴する時点において、放送局が予め決定した番組のみを視聴・録画することが可能な放送とは異なり、視聴者が好きなときに好きなだけ好きなものを選択して視聴・録画することが可能な環境を、通信を利用して提供する映像・音声サービス（番組配信サービス）が開始されている。
【００１７】
このような番組配信サービスを利用する映像・音声の視聴は、視聴者にとっては、選択肢が大幅に広がり楽しみが増加することになるが、このような番組配信サービスにおいては、選択肢が大幅に広がるためにその選択方法の利便性が重要となる。
【００１８】
例えば、五十音順に何千、何万もの番組を並べたものの中から、視聴者が望みの番組を選択する場合、視聴者が番組名を明確に記憶している場合、かつ、明確にその番組を視聴したい場合にのみ有効であり、視聴者が番組名をうろ覚えの場合や、明確に視聴したい番組が決定されていない場合、非常に使いにくい選択方法となる。このような場合に比較的適した選択方法としては、番組のジャンル（内容に応じた分類）や人気度により並べたものから選択する方法や、サービス事業者が選定した番組をお薦めする方法などがある。
【００１９】
また、番組配信サービスの利用を促進させるための一つの方法として、番組配信サービスで提供される番組を選択するためのグラフィック（番組選択画面）を、放送番組映像に多重化して表示することにより、放送番組を視聴しながら番組配信サービスで提供される番組を選択できるようにすることが考えられる。なお、このようなグラフィック（番組選択画面）の多重化表示の切り替えは、上述したデータ放送におけるグラフィックとの多重化表示と同様、視聴者による予め決められたリモコンボタンの操作の有無で決定されることが一般的である。
【００２０】
一方で、放送番組映像の全画面表示と、その他のグラフィックとの多重化表示の切り替えを、視聴者によるリモコンボタンの操作によって決定する場合、多くの場合は、放送番組映像の全画面表示での視聴となった後は、視聴者に対して再度リモコンボタンを操作して多重化表示をする動機を持たせるには、何らかのきっかけが必要である。何らかのきっかけがなければ、視聴者は多重化表示に対応するリモコンボタンを操作する機会が増加せず、番組配信サービスの利用を促進させるための効果が限定的になってしまう。
【００２１】
視聴者に対して番組配信サービスの利用を促進させるための具体的な方法としては、放送番組映像に番組配信サービスの番組選択画面を多重化させる場合に、視聴者に対して、視聴中の放送番組映像に関連した内容の番組配信サービスの番組をお薦めすることが考えられる。この場合、視聴者にお薦めする番組配信サービスの番組が、視聴者の嗜好や興味に一致することが予測されるため、番組配信サービスの利用を促進させるための効果としてより期待することができる。
【００２２】
より特定的には、それぞれ数分の項目を複数構成して制作されるニュース番組においては、事実に基づく新鮮な情報が豊富に含まれており、それらのニュース番組に関連した番組配信サービスの番組を視聴することにより、それらの知識を深めたいという視聴者の要求が高いと考えられる。
【００２３】
従って、視聴者がニュース放送番組を視聴している際に、お薦めする番組配信サービスの番組を選択するためのグラフィックの多重化表示に、自動的に切り替えることが有用である。このように、放送番組の内容に応じて自動的に表示内容を切り替える方法としては、次に示す（１）と（２）の２つの方法を挙げることができる。
【００２４】
（１）視聴者の操作履歴を学習し、その学習結果に基づき判定する方法
（２）視聴中の放送番組に対するジャンル情報に基づき判定する方法
上記（１）の方法としては、特許文献１に学習技術を応用した方法が開示されている。また、上記（２）の方法としては、非特許文献１にＡＲＩＢ（社団法人  電波産業会）において規定されたジャンル情報およびサブジャンル情報を用いる方法が開示されている。
【先行技術文献】
【特許文献】
【００２５】
【特許文献１】特開２００２−１５２６１８号公報
【非特許文献】
【００２６】
【非特許文献１】「地上デジタルテレビジョン放送運用規定  技術資料  ＡＲＩＢ  ＴＲ−Ｂ１４」（社団法人  電波産業界）
【発明の概要】
【発明が解決しようとする課題】
【００２７】
しかしながら、上記（１）の従来の学習に基づく判定方法は、学習が不十分な場合において、視聴者の意図に反する動作となることがあるという課題があった。
【００２８】
また、上記（２）の従来のジャンル情報に基づく判定方法は、ジャンル情報が大括りであるため、精度が荒いという課題があった。例えば、「ニュース／報道（定時・総合）」というジャンルに分類される番組には、それぞれ数分の項目を複数構成して制作されるニュース番組も含まれていれば、話題を限定して深堀した特集報道番組も含まれて運用されているのが実情である。このような特集報道番組は、放映時間が１時間程度と比較的長く、視聴者がその番組自体へ集中する度合いが高いため、多重化表示したお薦め番組を選択するためのグラフィックを逆に邪魔に感じてしまう可能性が高い。すなわち、放送番組視聴時において、番組配信サービスのお薦め番組の選択のためのグラフィックの表示に関し、多重化表示に自動的に切り替えるのに適しているのは前者のニュース番組の視聴時であって、特集報道番組は、むしろ視聴者の明確な意思に基づき、リモコンボタンの操作などによる指示で切り替えることが望ましい。
【００２９】
本発明は、このような課題に鑑みてなされたものであり、視聴中の放送番組の内容が、放送番組の視聴と同時に番組配信サービスにおけるお薦め番組の番組選択画面を多重化表示することがより適切と思われるニュース番組などの番組である場合に、事前の学習を必要とせず、また専用ボタンを押す必要もなく、自動的に多重化表示に切り替えることが可能なデジタルテレビ受信装置などの放送波受信装置、および放送波受信装置における画面表示を制御するための画面制御方法を提供することを目的とする。
【課題を解決するための手段】
【００３０】
上記目的を達成するために、本願の第１の発明の放送波受信装置は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、現在視聴中の前記番組に関する番組関連情報を取得する番組関連情報取得手段と、前記番組情報を取得する番組情報取得手段と、現在視聴中の前記番組と前記番組情報の表示を行う表示手段と、前記番組関連情報に含まれる放送時間が所定時間よりも短い場合には、現在視聴中の前記番組と前記番組情報とを、前記表示手段に表示するように制御する制御手段と、を備えることを特徴とするものである。
【００３１】
また、本願の第２の発明の放送波受信装置は、本願の第１の発明の放送波受信装置において、前記制御手段は、前記放送時間が前記所定時間よりも短くない場合には、現在視聴中の前記番組のみを、前記表示手段に表示するように制御することを特徴とするものである。
【００３２】
また、本願の第３の発明の放送波受信装置は、本願の第１の発明の放送波受信装置において、視聴者が、前記所定時間を、曜日、および／またはチャンネル、および／または放送時間帯に対応して、設定あるいは変更することが可能な機能を備えたことを特徴とするものである。
【００３３】
また、本願の第４の発明の放送波受信装置は、本願の第１の発明の放送波受信装置において、前記制御部は、視聴者によって前記番組のうち予め特定番組として特定番組Ａのグループと特定番組Ｂのグループが登録された特定番組管理表を保持し、前記特定番組管理表を参照して、前記番組関連情報に含まれる番組を特定する情報を基に、現在視聴中の前記番組が前記特定番組Ａのグループに属すると判断した場合には現在視聴中の前記番組のみを、前記特定番組Ｂのグループに属すると判断した場合には現在視聴中の前記番組と前記番組情報を、前記番組関連情報に含まれる前記放送時間が前記所定時間よりも短いか否かに関係なく、前記表示手段に表示するように制御することを特徴とするものである。
【００３４】
また、本願の第５の発明の放送波受信装置は、本願の第１の発明の放送波受信装置において、前記制御部は、視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が前記多重化表示自動切換対象ジャンルでないと判断した場合には、現在視聴中の前記番組のみを、前記番組関連情報に含まれる前記放送時間が前記所定時間よりも短いか否かに関係なく、前記表示手段に表示するように制御することを特徴とするものである。
【００３５】
また、本願の第６の発明の放送波受信装置は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、現在視聴中の前記番組に関する番組関連情報を取得する番組関連情報取得手段と、前記番組情報を取得する番組情報取得手段と、現在視聴中の前記番組と前記番組情報の表示を行う表示手段と、視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が多重化表示自動切換対象ジャンルであると判断し、かつ、前記番組関連情報に含まれる字幕付きであるか否かの情報を基に、現在視聴中の前記番組が字幕付きであると判断した場合には、現在視聴中の前記番組と前記番組情報とを、前記表示手段に表示するように制御する制御手段と、を備えることを特徴とするものである。
【００３６】
また、本願の第７の発明の放送波受信装置は、本願の第６の発明の放送波受信装置において、前記制御手段は、現在視聴中の前記番組が、多重化表示自動切換対象ジャンルであり、かつ、字幕付きであると判断した場合以外は、現在視聴中の前記番組のみを、前記表示手段に表示するように制御することを特徴とするものである。
【００３７】
また、本願の第８の発明の放送波受信装置は、本願の第６の発明の放送波受信装置において、前記制御部は、視聴者によって前記番組のうち予め特定番組として特定番組Ａのグループと特定番組Ｂのグループが登録された特定番組管理表を保持し、前記特定番組管理表を参照して、前記番組関連情報に含まれる番組を特定する情報を基に、現在視聴中の前記番組が前記特定番組Ａのグループに属すると判断した場合には現在視聴中の前記番組のみを、前記特定番組Ｂのグループに属すると判断した場合には現在視聴中の前記番組と前記番組情報を、現在視聴中の前記番組が多重化表示自動切換対象ジャンルであるか否か、あるいは字幕付きであるか否かに関係なく、前記表示手段に表示するように制御することを特徴とするものである。
【００３８】
また、本願の第９の発明の放送波受信装置は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、現在視聴中の前記番組に関する番組関連情報を取得する番組関連情報取得手段と、前記番組情報を取得する番組情報取得手段と、現在視聴中の前記番組と前記番組情報の表示を行う表示手段と、前記番組が複数の時間的な区間に区切られている場合、所定の方法により取得した前記区間に関する区切り情報を用いて、前記区間毎に放送時間が所定時間より短いか否かを判断し、前記放送時間が前記所定時間よりも短いと判断した場合には現在視聴中の前記番組と前記番組情報を、前記放送時間が前記所定時間よりも短くないと判断した場合には現在視聴中の前記番組のみを、前記表示手段に表示するように制御する制御手段と、を備えることを特徴とするものである。
【００３９】
また、本願の第１０の発明の放送波受信装置は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置であって、現在視聴中の前記番組に関する番組関連情報を取得する番組関連情報取得手段と、前記番組情報を取得する番組情報取得手段と、現在視聴中の前記番組と前記番組情報の表示を行う表示手段と、前記番組関連情報に含まれるジャンル情報、および／または前記番組関連情報に含まれる現在視聴中の前記番組の放送時間の長さ、および／または現在視聴中の前記番組が複数の時間的な区間に区切られている場合の所定の方法により取得した前記区間の長さに応じて、現在視聴中の前記番組と前記番組情報とを多重化表示する場合のそれぞれの表示領域の大きさを決定し、前記表示手段に表示するように制御する制御手段と、を備えることを特徴とするものである。
【００４０】
また、本願の第１１の発明の放送波受信装置における画面表示制御方法は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、現在視聴中の前記番組に関する番組関連情報を取得する番組関連情報取得ステップと、前記番組情報を取得する番組情報取得ステップと、現在視聴中の前記番組と前記番組情報取得ステップにおいて取得した前記番組情報の表示を行う表示ステップと、前記番組関連情報取得ステップにおいて取得した前記番組関連情報に含まれる放送時間が所定時間よりも短い場合には、現在視聴中の前記番組と前記番組情報とを、前記放送時間が前記所定時間よりも短くない場合には、現在視聴中の前記番組のみを、前記表示ステップにおいて表示するように制御する制御ステップと、を備えることを特徴とするものである。
【００４１】
また、本願の第１２の発明の放送波受信装置における画面表示制御方法は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、現在視聴中の前記番組に関する番組関連情報を取得する番組関連情報取得ステップと、前記番組情報を取得する番組情報取得ステップと、現在視聴中の前記番組と前記番組情報取得ステップにおいて取得した前記番組情報の表示を行う表示ステップと、視聴者によって予め前記番組のジャンル毎に多重化表示自動切換対象ジャンルであるか否かが登録されたジャンル判定表を保持し、前記ジャンル判定表を参照して、前記番組関連情報に含まれるジャンル情報を基に、現在視聴中の前記番組が多重化表示自動切換対象ジャンルであると判断され、かつ、前記番組関連情報に含まれる字幕付きであるか否かの情報を基に、現在視聴中の前記番組が字幕付きであると判断された場合には、現在視聴中の前記番組と前記番組情報を、それ以外の場合には現在視聴中の前記番組のみを、前記表示ステップにおいて表示するように制御する制御ステップと、を備えることを特徴とするものである。
【００４２】
また、本願の第１３の発明の放送波受信装置における画面表示制御方法は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、現在視聴中の前記番組に関する番組関連情報を取得する番組関連情報取得ステップと、前記番組情報を取得する番組情報取得ステップと、現在視聴中の前記番組と前記番組情報の表示を行う表示ステップと、前記番組が複数の時間的な区間に区切られている場合、所定の方法により取得した前記区間に関する区切り情報を用いて、前記区間毎に放送時間が所定時間より短いか否かを判断し、前記放送時間が前記所定時間よりも短いと判断された場合には現在視聴中の前記番組と前記番組情報を、前記放送時間が前記所定時間よりも短くないと判断された場合には現在視聴中の前記番組のみを、前記表示ステップにおいて表示するように制御する制御ステップと、を備えることを特徴とするものである。
【００４３】
また、本願の第１４の発明の放送波受信装置における画面表示制御方法は、放送波を受信するとともに、当該放送波に含まれる番組と、当該放送波に含まれる前記番組とは異なる他の番組に関する番組情報、あるいは放送波以外から取得される前記番組情報の表示を行う放送波受信装置における画面表示制御方法であって、現在視聴中の前記番組に関する番組関連情報を取得する番組関連情報取得ステップと、前記番組情報を取得する番組情報取得ステップと、現在視聴中の前記番組と前記番組情報の表示を行う表示ステップと、前記番組関連情報取得ステップにおいて取得した前記番組関連情報に含まれるジャンル情報、および／または前記番組関連情報に含まれる現在視聴中の前記番組の放送時間の長さ、および／または現在視聴中の前記番組が複数の時間的な区間に区切られている場合の所定の方法により取得した前記区間の長さに応じて、現在視聴中の前記番組と前記番組情報とを多重化表示する場合のそれぞれの表示領域の大きさを決定し、前記表示ステップにおいて表示するように制御する制御ステップと、を備えることを特徴とするものである。
【発明の効果】
【００４４】
本発明の放送波受信装置および放送波受信装置における画面表示制御方法によれば、視聴中の放送番組の内容が、放送番組の視聴と同時に番組配信サービスにおけるお薦め番組の番組選択画面（番組情報）を多重化表示することがより適切と思われるニュース番組などの番組である場合に、事前の学習を必要とせず、また専用ボタンを押す必要もなく、自動的に多重化表示に切り替えることが可能である。
【図面の簡単な説明】
【００４５】
【図１】本発明の実施の形態１に係るデジタルテレビ受信装置の構成を示すブロック図
【図２】本発明の実施の形態１に係るデジタルテレビ受信装置のお薦め画面遷移制御部における多重化表示の自動切換判定手順を示すフローチャート
【図３】本発明の実施の形態１に係るデジタルテレビ受信装置のお薦め画面遷移制御部における多重化表示の自動切換判定に用いるジャンル判定表の一例を示す図
【図４】本発明の実施の形態１に係るデジタルテレビ受信装置のお薦め画面遷移制御部における多重化表示の自動切換判定に用いる特定番組管理表の一例を示す図
【図５】本発明の実施の形態２に係るデジタルテレビ受信装置のお薦め画面遷移制御部における多重化表示の自動切換判定手順を示すフローチャート
【図６】本発明の実施の形態３に係るデジタルテレビ受信装置のお薦め画面遷移制御部における多重化表示の自動切換判定手順を示すフローチャート
【図７】従来のデジタルテレビ受信装置の構成を示すブロック図
【図８】デジタルテレビ受信装置における映像表示のイメージを示す図
【発明を実施するための形態】
【００４６】
以下に、本発明を実施するための形態について、図面を参照しながら説明する。
【００４７】
（実施の形態１）
図１を用いて、本発明の実施の形態１に係るデジタルテレビ受信装置１００について説明する。なお、図１は、本発明の実施の形態１に係るデジタルテレビ受信装置の構成を示すブロック図である。
【００４８】
図１において、デジタルテレビ受信装置１００は、放送受信部１０１、選局部１０２、信号分離部１０３、音声データ処理部１０４、映像データ処理部１０５、文字データ処理部１０６、音声信号出力部１０７、映像信号出力部１０８、グラフィック処理部１０９、ユーザ操作インタフェース部（ユーザ操作Ｉ／Ｆ部）１１０、番組説明データ処理部１１１、お薦め画面遷移制御部１１２およびお薦め情報取得・処理部１１３で構成されている。
【００４９】
デジタルテレビ受信装置１００における、放送受信部１０１、選局部１０２、信号分離部１０３、音声データ処理部１０４、映像データ処理部１０５、文字データ処理部１０６、音声信号出力部１０７、映像信号出力部１０８、グラフィック処理部１０９、ユーザ操作Ｉ／Ｆ部１１０および番組説明データ処理部１１１は、それぞれ、図７に示す従来のデジタルテレビ受信装置７００における、放送受信部７０１、選局部７０２、信号分離部７０３、音声データ処理部７０４、映像データ処理部７０５、文字データ処理部７０６、音声信号出力部７０７、映像信号出力部７０８、グラフィック処理部７０９、ユーザ操作Ｉ／Ｆ部７１０および番組説明データ処理部７１１とは、基本的に同様であり、デジタルテレビ受信装置１００が従来のデジタルテレビ受信装置７００と相違しているのは、お薦め画面遷移制御部１１２およびお薦め情報取得・処理部１１３を具備していることである。
【００５０】
放送受信部１０１は、ＲＦ信号（放送信号）を受信してデジタル信号に復調し、制御信号を選局部１０２に出力すると共に、復調信号を信号分離部１０３に出力する。
【００５１】
ユーザ操作Ｉ／Ｆ部１１０は、リモコンなどによるユーザからの指示を受け付け、そのユーザからの指示情報（以下、ユーザ指示情報と称す）を、選局部１０２、文字データ処理部１０６、番組説明データ処理部１１１およびお薦め画面遷移制御部１１２などに出力する。
【００５２】
選局部１０２は、ユーザ操作Ｉ／Ｆ部１１０から入力されたユーザ指示情報と、放送受信部１０１から入力された制御信号を用いて、処理すべき情報を特定するためにＴＳで定義される識別情報を特定し、特定した識別情報を信号分離部１０３に出力する。
【００５３】
信号分離部１０３は、選局部１０２から入力された識別情報を用いて、放送受信部１０１から入力された復調信号に対して、処理すべき音声データ、映像データ、文字データおよび番組説明データ（特許請求の範囲に記載の番組関連情報）を分離・抽出し、それぞれ音声データ処理部１０４、映像データ処理部１０５、文字データ処理部１０６および番組説明データ処理部１１１に出力する。
【００５４】
音声データ処理部１０４は、信号分離部１０３から入力された音声データをデコード処理して音声信号出力部１０７に出力する。
【００５５】
映像データ処理部１０５は、信号分離部１０３から入力された映像データをデコード処理して映像信号出力部１０８に出力する。
【００５６】
文字データ処理部１０６は、ユーザ操作Ｉ／Ｆ部１１０から入力されたユーザ指示情報、あるいは、予め設定された設定内容、あるいは、前回のユーザ指示情報の記録内容などに従い、信号分離部１０３から入力された文字データをグラフィック描画情報に変換してグラフィック処理部１０９に出力する。
【００５７】
番組説明データ処理部１１１は、ユーザ操作Ｉ／Ｆ部１１０から入力されたユーザ指示情報に従い、信号分離部１０３から入力された番組説明データ（特許請求の範囲に記載の番組関連情報）をグラフィック描画情報に変換してグラフィック処理部１０９に出力するとともに、お薦め画面遷移制御部１１２に対して、視聴中の放送番組の放送時間情報やジャンル情報などの情報を出力する。
【００５８】
お薦め画面遷移制御部１１２は、番組説明データ処理部１１１から入力された視聴中の放送番組の放映時間情報やジャンル情報、および、ユーザ操作Ｉ／Ｆ部１１０から入力されたユーザ指示情報などを用いて、後述する多重化表示の自動切換判定手順を実行し、多重化表示をするか否かを決定し、お薦め情報取得・処理部１１３に対して、「多重化表示をする」、あるいは「多重化表示を解除する」などの指示を与える。
【００５９】
お薦め情報取得・処理部１１３は、お薦め画面遷移制御部１１２からの指示に従い、通信などの放送波受信以外の手段を用いて取得した番組配信サービスのお薦め情報（特許請求の範囲に記載の番組情報）を基に、お薦め番組の選択画面を構成するグラフィック描画情報を生成し、生成したグラフィック描画情報をグラフィック処理部１０９に出力する。
【００６０】
グラフィック処理部１０９は、文字データ処理部１０６、番組説明データ処理部１１１およびお薦め情報取得・処理部１１３からそれぞれ入力されたグラフィック描画情報を処理してグラフィック信号を生成し、生成したグラフィック信号を映像信号出力部１０８に出力する。
【００６１】
映像信号出力部１０８は、映像データ処理部１０５から入力された放送番組の映像信号、および、グラフィック処理部１０９から入力されたグラフィック信号を、ユーザの指示や予め決められた設定内容に応じて、放送番組の映像信号のみの映像、または放送番組の映像信号にお薦め情報（特許請求の範囲に記載の番組情報）のグラフィック信号などが多重化された映像として表示する。
【００６２】
なお、お薦め情報取得・処理部１１３が番組配信サービスのお薦め情報を取得する方法は、通信手段を利用することに限るものではなく、例えば、放送番組に多重化された情報から取得する方法であってもよい。この場合、文字データ処理部１０６から番組配信サービスのお薦め情報を取得することで実現可能である。
【００６３】
また、ユーザ操作Ｉ／Ｆ部１１０がユーザ指示情報を出力する先としては、選局部１０２、文字データ処理部１０６、番組説明データ処理部１１１およびお薦め画面遷移制御部１１２に限るものではなく、例えば、文字データ処理部１０６、番組説明データ処理部１１１およびお薦め画面遷移制御部１１２に出力するのに替えてグラフィック処理部１０９に対して出力し、ユーザ指示情報などに対応するグラフィックの信号の生成を行うように構成しても構わない。
【００６４】
このようにして表示される放送番組映像とお薦め選択画面（お薦め情報）を多重化した映像のイメージを、参考として図８の（ハ）に示す。図８の（ハ）において、多重化された映像は、放送番組映像（ａ）とお薦め選択画面（ｃ）、および場合によってはその他の画面とで全画面（Ａ）が構成される。
【００６５】
ここで、特許請求の範囲に記載の各手段と、図１に記載されているデジタルテレビ受信装置１００の構成ブロックである各部との関係について説明する。
【００６６】
番組関連情報取得手段は、放送受信部１０１、選局部１０２、信号分離部１０３および番組説明データ処理部１１１で構成され、番組情報取得手段はお薦め情報取得・処理部１１３に相当し、表示手段は映像信号出力部１０８に相当し、制御手段はお薦め画面遷移制御部１１２に相当する。
【００６７】
次に、図１を参照しながら図２〜図４を用いて、本発明の実施の形態１に係るデジタルテレビ受信装置１００のお薦め画面遷移制御部１１２における多重化表示の自動切換判定手順について説明する。
【００６８】
なお、図２は、本発明の実施の形態１に係るデジタルテレビ受信装置のお薦め画面遷移制御部における多重化表示の自動切換判定手順を示すフローチャートである。また、図３は、本発明の実施の形態１に係るデジタルテレビ受信装置のお薦め画面遷移制御部における多重化表示の自動切換判定に用いるジャンル判定表の一例を示す図である。また、図４は、本発明の実施の形態１に係るデジタルテレビ受信装置のお薦め画面遷移制御部における多重化表示の自動切換判定に用いる特定番組管理表の一例を示す図である。
【００６９】
図１におけるお薦め画面遷移制御部１１２は、ユーザ操作Ｉ／Ｆ部１１０からのユーザ指示情報、あるいは、番組説明データ処理部１１１からの現在視聴中の放送番組の番組説明データ（番組関連情報）である放映時間情報やジャンル情報などの入力情報により、デジタルテレビ受信装置１００の電源が投入された、あるいはチャンネルが変更された、あるいは視聴中の番組が終了して新たな番組の視聴が開始されたことなどの状態遷移を検知するが、この状態遷移を検知することにより、多重化表示の自動切替判定を開始する（Ｓ２０１）。
【００７０】
続いて、お薦め画面遷移制御部１１２は、自ら保持している図４に示す特定番組管理表を用いて、番組説明データ処理部１１１から取得した番組関連情報を基にして、視聴中の番組が特定番組管理対象か否かを判定する（Ｓ２０２）。
【００７１】
なお、図４に示す特定番組管理表においては、水曜日の１７時から１８時にチャンネルＸで放送される「ワイドＡ」という番組、および、金曜日の１６時５０分から１７時にチャンネルＹで放送される「夕方ニュース」という番組が、特定番組管理対象の番組として登録されている。
【００７２】
また、特定番組管理対象の番組は、番組名：「夕方ニュース」のように、多重化表示設定が非多重化表示の対象となっているもの（例えば、特定番組Ａのグループに属するもの）と、番組名：「ワイドＡ」のように、多重化表示設定が多重化表示の対象になっているもの（例えば、特定番組Ｂのグループに属するもの）との２種類のグループに分類され登録されており、特定番組管理表に記載されていない番組は、特定番組の管理対象となっていない番組として扱うことになる。
【００７３】
ステップＳ２０２において、視聴中の番組が特定番組管理対象でないと判定された場合（ステップＳ２０２においてＮｏの場合）、お薦め画面遷移制御部１１２は、自ら保持している図３に示すジャンル判定表を用いて、視聴中の番組のジャンル（サブジャンル）が多重化表示への自動切換対象であるか否かを判定する（Ｓ２０３）。
【００７４】
なお、図３に示すジャンル判定表においては、「ニュース／報道（定時・総合）」、「スポーツ（スポーツニュース）」、「スポーツ（野球）」、「音楽（歌謡曲・演歌）」および「情報／ワイドショー（番組紹介・お知らせ）」が、多重化表示へ自動切換を行う対象、すなわち自動切換対象のジャンル（サブジャンル）として登録されている。
【００７５】
また、自動切換の設定が非対象であるにもかかわらず、ジャンル判定表にあえて登録している上記以外のジャンル（サブジャンル）については、視聴者が、ユーザ操作Ｉ／Ｆ１１０などを通じてこれらのジャンル（サブジャンル）の自動切換の設定を行なう際に、「対象」か「非対象」のいずれかを選択することにより、簡単に設定変更を可能とする機能を具備することを想定して登録したものである。
【００７６】
また、ジャンル判定表に登録していないジャンル（サブジャンル）については、視聴者が、ジャンル（サブジャンル）を選択してジャンル判定表に追加登録するか、「上記以外」のジャンル（サブジャンル）として設定することを可能とする機能を具備することを想定して未登録としたものである。
【００７７】
ステップＳ２０３において、視聴中の番組のジャンル（サブジャンル）が自動切換対象でないと判定された場合（ステップＳ２０３においてＮｏの場合）には、お薦め画面遷移制御部１１２は、お薦め情報取得・処理部１１３に対して、多重化表示の解除を指示する（Ｓ２０４）。
【００７８】
一方、ステップＳ２０３において、視聴中の番組のジャンル（サブジャンル）が自動切換対象であると判定された場合（ステップＳ２０３においてＹｅｓの場合）には、お薦め画面遷移制御部１１２は、番組説明データ処理部１１１から入力された視聴中の番組の放送時間が、予め設定された所定時間より短いか否かを判定する（Ｓ２０５）。
【００７９】
なお、この所定時間は、ユーザ操作Ｉ／Ｆ部１１０を通じて変更可能とする。また、この所定時間を、チャンネル、時間帯、曜日などによって異なる値に設定できるようにすることで、より詳細に制御することが可能となる。
【００８０】
ステップＳ２０５において、視聴中の番組の放送時間が、予め設定された所定時間より短いと判定された場合（ステップＳ２０５においてＹｅｓの場合）には、お薦め画面遷移制御部１１２は、お薦め情報取得・処理部１１３に対して多重化表示をするように指示し（Ｓ２０６）、視聴中の番組の放送時間が、予め設定された所定時間より短くないと判定された場合（ステップＳ２０５においてＮｏの場合）には、お薦め画面遷移制御部１１２は、お薦め情報取得・処理部１１３に対して多重化表示の解除を指示する（Ｓ２０７）。
【００８１】
続いて、ステップＳ２０２に戻り、視聴中の番組が特定番組管理対象であると判定された場合（ステップＳ２０２においてＹｅｓの場合）には、お薦め画面遷移制御部１１２は、図４に示す特定番組管理表を参照して、視聴中の番組が多重化表示の設定になっているか否かを判定する（Ｓ２０８）。
【００８２】
ステップＳ２０８において、視聴中の番組が多重化表示の設定になっていると判定された場合（ステップＳ２０８においてＹｅｓの場合）には、お薦め画面遷移制御部１１２は、お薦め情報取得・処理部１１３に対して多重化表示をするように指示し（Ｓ２０９）、視聴中の番組が多重化表示の設定になっていないと判定された場合（ステップＳ２０８においてＮｏの場合）には、お薦め画面遷移制御部１１２は、お薦め情報取得・処理部１１３に対して多重化表示の解除をするように指示する（Ｓ２１０）。
【００８３】
なお、本発明の実施の形態１においては、放送受信部１０１が放送波を受信する場合を例に挙げて説明したが、これに限るものではなく、例えば、ＩＰ（Ｉｎｔｅｒｎｅｔ  Ｐｒｏｔｏｃｏｌ）通信路を利用するマルチキャスト通信を受信するものであっても構わない。この場合、放送受信部１０１は、ＩＰ通信における受信機能を具備する必要があるが、このＩＰ通信における受信機能と放送波受信機能とを併せて具備し、その何れからも番組を受信できるようにしても構わない。
【００８４】
また、本発明の実施の形態１においては、情報の多重化方法は、デジタル放送に広く用いられるＴＳを例に挙げて説明したが、これに限るものではなく、例えば、ＰＳ（Ｐｒｏｇｒａｍ  Ｓｔｒｅａｍ）であってもよいし、他の多重化方法であっても構わない。
【００８５】
また、本発明の実施の形態１においては、放送波受信装置としてデジタルテレビ受信装置１００を例に挙げて説明したが、これに限るものではなく、例えば、アナログテレビ受信装置であっても構わない。アナログテレビ受信装置においても、信号が多重化されて送られてくる情報に対して、同様の方法を用いて処理することが可能であることは容易に類推できる。
【００８６】
また、本発明の実施の形態１においては、番組配信サービスがお薦めする番組は、主として映像・音声からなるコンテンツを例に挙げて説明したが、これに限るものではなく、例えば、一般的な文字情報やインターネットのホームページなどの情報、あるいは、商品の販売を目的とした文字・画像・映像・マルチメディア情報であっても構わない。
【００８７】
また、本発明の実施の形態１においては、お薦め情報取得・処理部１１３が取得・処理を行なうお薦め番組の情報は、通信を介して映像・音声の配信を行なう番組配信サービスに関する情報を例に挙げて説明したが、これに限るものではなく、例えば、放送受信部１０１が受信する視聴中の番組以外の番組情報であっても構わない。
【００８８】
以上のように、デジタルテレビ受信装置１００において、多重化表示の自動切換判定を行うことにより、視聴者は、ニュース番組などのように放送番組の視聴と同時にお薦め情報を提示するのに適した放送番組を視聴中の場合には、事前の学習を必要とせず、すなわち学習結果に依存することなく、また専用ボタンを押すこともなく、自動的にお薦め情報画面が多重表示されるので、視聴者の利便性が向上する。
【００８９】
（実施の形態２）
図５を用いて、本発明の実施の形態２に係るデジタルテレビ受信装置１００のお薦め画面遷移制御部１１２における多重化表示の自動切換判定手順について説明する。ここで、図５は、本発明の実施の形態２に係るデジタルテレビ受信装置のお薦め画面遷移制御部における多重化表示の自動切換判定手順を示すフローチャートである。
【００９０】
なお、本発明の実施の形態２に係るデジタルテレビ受信装置の構成は、図１に示す本発明の実施の形態１に係るデジタルテレビ受信装置１００と同様であり、本発明の実施の形態２においては、お薦め画面遷移制御部１１２における「多重化表示の自動切換判定手順」に関して、本発明の実施の形態１とは異なる方法を開示するものである。以下に、本発明の実施の形態２における自動切換判定手順について説明する。
【００９１】
図５において、ステップＳ５０１〜ステップＳ５０４は、それぞれ図２に示すステップＳ２０１〜ステップＳ２０４と同様であり、またステップＳ５０８〜ステップＳ５１０は、それぞれ図２に示すステップＳ２０８〜ステップＳ２１０と同様であるので説明を省略し、ここでは、本発明の実施の形態１とは異なる判定手順の部分のみについて説明する。
【００９２】
ステップＳ５０３において、視聴中の番組のジャンル（サブジャンル）が自動切換対象であると判定された場合（ステップＳ５０３においてＹｅｓの場合）には、お薦め画面遷移制御部１１２は、番組説明データ処理部１１１から入力された視聴中の番組に関連する番組関連情報を基にして、視聴中の番組が字幕付きであるか否かを判定する（Ｓ５０５）。
【００９３】
なお、視聴中の番組が字幕付きであるか否かを判定するための方法としては、上記の視聴中の番組に関連する情報である番組関連情報を用いる方法の他に、例えば、電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）のデジタル放送に関する標準規格であるＡＲＩＢ  ＳＴＤ−Ｂ１０、ＡＲＩＢ  ＳＴＤ−Ｂ２４に準拠した放送の場合、ＰＭＴ（Ｐｒｏｇｒａｍ  Ｍａｐ  Ｔａｂｌｅ）中の各ストリームの定義情報において、ストリーム形式識別（ｓｔｒｅａｍ  ｔｙｐｅ）の値（例えば０ｘ０６なら字幕、など）を含むストリームの有無を用いる方法などが考えられる。
【００９４】
ステップＳ５０５において、視聴中の番組が字幕付きであると判定された場合（ステップＳ５０５においてＹｅｓの場合）には、お薦め画面遷移制御部１１２は、お薦め情報取得・処理部１１３に対して、お薦め情報を多重化表示するように指示し（Ｓ５０６）、視聴中の番組が字幕付きでないと判定された場合（ステップＳ５０５においてＮｏの場合）には、お薦め画面遷移制御部１１２は、お薦め情報取得・処理部１１３に対して、お薦め情報の多重化表示を解除するように指示する（Ｓ５０７）。
【００９５】
すなわち、お薦め画面遷移制御部１１２は、お薦め情報取得・処理部１１３に対して、視聴中の番組が、ステップＳ５０３において、多重化表示への自動切換対象となっているジャンル（サブジャンル）に属する番組であると判定され、かつ、ステップＳ５０５において、字幕付きの番組であると判定された場合に、ステップＳ５０６に示すように、お薦め情報を多重化表示するように指示し、それ以外の場合は、ステップＳ５０４およびステップＳ５０７に示すように、お薦め情報の多重化表示を解除するように指示する。
【００９６】
なお、本発明の実施の形態２における視聴中の番組が字幕付きであるか否かによる判定と、本発明の実施の形態１における視聴中の番組の放送時間の長さによる判定とを組み合わせることが可能であることは、容易に類推可能である。
【００９７】
以上のように多重化表示の自動切換判定を行うことにより、番組が字幕付きのニュースなど場合には、その内容をテキスト情報に変換することが比較的容易であるため、番組配信サービスの事業者は、ニュースの内容に応じたお薦め番組を比較的短時間で準備することが可能なために、より適切なお薦め番組が準備できている場合にのみ、自動的に放送番組映像とお薦め選択画面の多重化表示に切り替えることが可能となり、視聴者の利便性がより向上する。
【００９８】
（実施の形態３）
図６を用いて、本発明の実施の形態３に係るデジタルテレビ受信装置のお薦め画面遷移制御部１１２における多重化表示の自動切換判定手順について説明する。ここで、図６は、本発明の実施の形態３に係るデジタルテレビ受信装置のお薦め画面遷移制御部における多重化表示の自動切換判定手順を示すフローチャートである。
【００９９】
なお、本発明の実施の形態３に係るデジタルテレビ受信装置の構成は、図１に示す本発明の実施の形態１に係るデジタルテレビ受信装置１００と同様であり、本発明の実施の形態３においては、お薦め画面遷移制御部１１２における「多重化表示の自動切換判定手順」に関して、本発明の実施の形態１および２とは異なる方法を開示するものである。
【０１００】
番組によっては、複数の時間（区間）に区切られて複数の内容を含むものが存在する。例えば、ニュース番組は、政治、経済、事件、スポーツなど、複数のニュース項目から構成されている。さらに、同じニュース番組内で、比較的短い時間にヘッドラインとして放送される区間と、特集記事として比較的長い時間を使って放送される区間が混在する場合がある。すなわち、お薦め選択画面の多重化表示が望ましい短い区間と、多重化表示が望ましくない長い区間が混在する場合がある。
【０１０１】
視聴中の番組を複数の時間に区切る方法としては、例えば、番組制作時に区切ったり、番組配信サービスのセンター装置により、予め入手した台本情報によって区切ったり、デジタルテレビ受信装置１００において番組の映像・音声、その他の情報を解析して区切る方法などを挙げることができる。
【０１０２】
番組制作時に区切った番組内の時間区切り情報や、番組配信サービスのセンター装置で区切った番組内の時間区切り情報は、通信などの手段を用いた方法によって、センター装置からデジタルテレビ受信装置１００に与えられる。
【０１０３】
本発明の実施の形態３における多重化表示の自動切換判定手順は、以上のような所定の方法により入手した番組内の時間区切り情報を用いて、その区間毎に放送番組映像とお薦め選択画面の多重化表示に切り替えるか否かを判定することを可能とするものであり、以下にその多重化表示の自動切換判定手順について説明する。
【０１０４】
図６において、区間毎の多重化表示の自動切換の判定を開始する（Ｓ６０１）。この自動切換の判定を開始するタイミングは、本発明の実施の形態１あるいは２において視聴中の番組に対して多重化表示をすることが決定された後や、視聴中の番組を複数の時間に区切り、その区切られた区間毎に放送番組映像とお薦め選択画面の多重化表示に切り替えるか否かを判定する場合などである。
【０１０５】
区間毎の多重化表示の自動切換の判定を開始すると、まず、視聴中の区間の放送時間が予め定められた所定時間より短いか否かを判定する（Ｓ６０２）。
【０１０６】
ステップＳ６０２において、視聴中の区間の放送時間が予め定められた所定時間より短いと判定された場合（ステップＳ６０２においてＹｅｓの場合）には、お薦め画面遷移制御部１１２は、お薦め情報取得・処理部１１３に対して、お薦め情報を多重化表示するように指示し（Ｓ６０３）、視聴中の区間の放送時間が予め定められた所定時間より短くないと判定された場合（ステップＳ６０２においてＮｏの場合）には、お薦め画面遷移制御部１１２は、お薦め情報取得・処理部１１３に対して、お薦め情報の多重化表示を解除するように指示する（Ｓ６０４）。
【０１０７】
ステップＳ６０３またはステップＳ６０４において、お薦め情報取得・処理部１１３が、お薦め画面遷移制御部１１２からの指示を受けて、それぞれのステップにおける対応をした後、視聴中の番組の残り時間（区間）が複数の区間に分割されているか否かを判定する（Ｓ６０５）。
【０１０８】
ステップＳ６０５において、視聴中の番組の残り時間（区間）が複数の区間に分割されている場合（ステップＳ６０５においてＹｅｓの場合）には、視聴中の番組の残り区間の終了まで待ち（Ｓ６０６）、その後、ステップＳ６０２に戻って引き続き処理を行ない、視聴中の番組の残り時間（区間）が複数の区間に分割されていない場合（ステップＳ６０５においてＮｏの場合）には、区間毎の多重化表示の自動切換の判定を終了する（Ｓ６０７）。
【０１０９】
以上のように多重化表示の自動切換判定を行うことにより、内容が異なる複数の区間から構成される番組において、視聴者がより深く情報を知りたいと要望することが想定される区間が短い場合にのみ、自動的に放送番組映像とお薦め選択画面の多重化表示に切り替えることが可能となり、視聴者の利便性がより向上する。
【０１１０】
（実施の形態４）
本発明の実施の形態１〜３における多重化表示の自動切換判定方法により、放送番組映像とお薦め選択画面（特許請求の範囲に記載の「番組情報」）を多重化して表示する場合、一般的には、放送番組映像を視聴しながらのお薦め番組の選択となるため、放送番組映像の表示領域は比較的大きいことが望ましい。視聴中の放送番組映像の表示領域が、一辺の長さが２／３では物足りず、５／６以上ではお薦め選択画面におけるお薦め情報の表示が困難になると考えられ、視聴中の放送番組映像の表示領域をどのように決めるかが課題となるが、その解決策の１つとして、ジャンル（サブジャンル）に対応して視聴中の放送番組映像の表示領域を決めることが考えられる。
【０１１１】
なお、本発明の実施の形態４に係るデジタルテレビ受信装置の構成は、図１に示す本発明の実施の形態１に係るデジタルテレビ受信装置１００と同様であり、本発明の実施の形態４においては、映像信号出力部１０８における多重化表示の表示領域の大きさを決定する方法を開示するものである。
【０１１２】
本発明の実施の形態４においては、お薦め画面遷移制御部１１２が保持している図３にその一例を示したジャンル判定表において、ジャンル（サブジャンル）毎に自動切換の対象／非対象を設定するだけでなく放送番組映像の表示領域の大きさも設定する。
【０１１３】
お薦め画面遷移制御部１１２は、番組説明データ処理部１１１から受け取った番組説明データ（特許請求の範囲に記載の番組関連情報）を基に視聴中の放送番組のジャンルを判定し、ジャンル（サブジャンル）毎に自動切換の対象／非対象の設定のみならず放送番組映像の表示領域の大きさが設定されたジャンル判定表を参照して、視聴中の放送番組の表示領域を決定する。
【０１１４】
このように、ジャンル（サブジャンル）毎に放送番組映像の表示領域の大きさを設定することにより、より適切に多重化表示を行うことが可能となる。
【０１１５】
さらに、視聴中の放送番組の時間の長さ、あるいは、本発明の実施の形態３における番組内の区切り（区間）の時間の長さに応じて、放送番組映像の表示領域の大きさを決定することで、より適切に多重化表示を行うことが可能となる。
【０１１６】
なお、ジャンル（サブジャンル）毎に自動切換の対象／非対象の設定のみならず放送番組映像の表示領域の大きさを設定した本発明の実施の形態４におけるジャンル判定表は、本発明の実施の形態１〜３におけるジャンル判定表と同様に、視聴者（ユーザ）が、図１に示すユーザ操作Ｉ／Ｆ部１１０を経由して、予め用意された設定画面を用いて変更することができるようにすることが望ましい。
【０１１７】
また、本発明は、本発明の実施の形態１〜４における装置が各手段（各部）を備える放送波受信装置として提供できるばかりでなく、放送波受信装置が具備する各手段を各ステップとする放送波受信装置における画面表示制御方法、および、放送波受信装置における画面表示制御方法をコンピュータに実行させる画面表示制御プログラムを提供することも可能である。そして、この画面表示制御プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【産業上の利用可能性】
【０１１８】
本発明に係るデジタルテレビ受信装置などの放送波受信装置は、放送番組の視聴と通信などを利用した番組配信サービスとを融合した、コンテンツ配信サービスの分野において有用に用いることができる。
【符号の説明】
【０１１９】
１０１  放送受信部
１０２  選局部
１０３  信号分離部
１０４  音声データ処理部
１０５  映像データ処理部
１０６  文字データ処理部
１０７  音声信号出力部
１０８  映像信号出力部
１０９  グラフィック処理部
１１０  ユーザ操作Ｉ／Ｆ部
１１１  番組説明データ処理部
１１２  お薦め画面遷移制御部
１１３  お薦め情報取得・処理部
７０１  放送受信部
７０２  選局部
７０３  信号分離部
７０４  音声データ処理部
７０５  映像データ処理部
７０６  文字データ処理部
７０７  音声信号出力部
７０８  映像信号出力部
７０９  グラフィック処理部
７１０  ユーザ操作Ｉ／Ｆ部
７１１  番組説明データ処理部
【図１】
2011146766.tif 000003
【図２】
2011146766.tif 000004
【図３】
2011146766.tif 000005
【図４】
2011146766.tif 000006
【図５】
2011146766.tif 000007
【図６】
2011146766.tif 000008
【図７】
2011146766.tif 000009
【図８】
2011146766.tif 000010